【事件の表示】
　上記当事者間の特許第３７０６２７４号発明「遊技用回路装置」の特許無効審判事件について、次のとおり審決する。
【結　論】
　訂正を認める。
　特許第３７０６２７４号の請求項１乃至４に係る発明についての特許を無効とする。
　審判費用は、被請求人の負担とする。
【理　由】
１．手続の経緯
　本件特許第３７０６２７４号の請求項１乃至４に係る発明は、平成１１年７月２１日に特願平１１−２０６５８２号として出願され、平成１７年８月５日にその設定登録がなされた。これに対して、平成１８年６月３０日に請求人黒田博道より本件無効審判の請求がなされ、平成１８年９月２２日に被請求人アルゼ株式会社より答弁書が提出された。
　その後、平成１８年１１月１４日付けで当審の職権による無効理由が通知され、平成１８年１２月２０日に、請求人から意見書が、被請求人から意見書及び訂正請求書がそれぞれ提出され、平成１９年３月２日に請求人から弁駁書が提出されたものである。
　
２．訂正請求について
２．１．訂正の内容
　平成１８年１２月２０日付け訂正請求書の内容は、以下のとおりである。
（１）訂正事項１
　訂正前における特許請求の範囲の請求項１の
「遊技機に設けられる回路基板と、該回路基板を覆うカバーとを備えた遊技用回路装置において、
　前記回路基板と前記カバーとの重なり部分に複数の固定可能部を形成し、
　前記回路基板を前記カバーで覆うときは、前記固定可能部を固定し、
　前記回路基板と前記カバーとを引き離すときは、固定した前記固定可能部を除去することを特徴とする遊技用回路装置。」を、
「遊技機に設けられる回路基板と、
　該回路基板を覆うカバーとを備えた遊技用回路装置において、
　前記回路基板と前記カバーとを組み合わせた際に互いに重なる重なり部を形成すると共に、
　前記回路基板と前記カバーの前記重なり部を構成する部位に各々、前記回路基板に対して前記カバーを固定するための複数の固定可能部を、前記回路基板と前記カバーから切断可能な切断部を含んで一体に形成し、
　前記回路基板に対して前記カバーを固定するときは、前記固定可能部で固定手段により前記回路基板の固定可能部に対して前記カバーの固定可能部を固定すると共に、
　前記回路基板から前記カバーを引き離すときは、前記切断部にて、前記固定可能部を、前記回路基板と前記カバーから切断することを特徴とする遊技用回路装置。」と訂正する。
（２）訂正事項２
　訂正前における特許請求の範囲の請求項２の
「請求項１記載の遊技用回路装置において、
　前記カバーは、前記回路基板の上面を覆う上部カバー及び前記回路基板の下面を覆う下部カバーから成り、
　前記固定可能部は、前記回路基板と前記上部カバー又は前記下部カバーとの重なり部分に形成されることを特徴とする遊技用回路装置。」を、
「請求項１記載の遊技用回路装置において、
　前記カバーは、前記回路基板の上面を覆う上部カバー及び前記回路基板の下面を覆う下部カバーから成り、
　前記複数の固定可能部は、前記回路基板と前記上部カバー又は前記下部カバーとの前記重なり部を構成する部位に各々一体に形成されることを特徴とする遊技用回路装置。」と訂正する。
（３）訂正事項３
　訂正前における特許請求の範囲の請求項３の
「請求項１記載の遊技用回路装置において、
　前記カバーは、前記回路基板の上面を覆う上部カバー及び前記回路基板の下面を覆う下部カバーから成り、
　前記固定可能部は、前記回路基板と前記上部カバー及び前記下部カバーとの重なり部分に形成されることを特徴とする遊技用回路装置。」を、
「請求項１記載の遊技用回路装置において、
　前記カバーは、前記回路基板の上面を覆う上部カバー及び前記回路基板の下面を覆う下部カバーから成り、
　前記複数の固定可能部は、前記回路基板と前記上部カバー及び前記下部カバーとの前記重なり部を構成する部位に各々一体に形成されることを特徴とする遊技用回路装置。」と訂正する。
（４）訂正事項４
　訂正前における特許請求の範囲の請求項４の
「請求項１乃至３のいずれか記載の遊技用回路装置において、
　前記回路基板は、該回路基板に固着した固着部を含むことを特徴とする遊技用回路装置。」を、
「請求項１乃至３のいずれか記載の遊技用回路装置において、
　前記回路基板は、前記回路基板の固定可能部において、前記固定手段を止める複数の固着部を形成し、前記回路基板に対して前記カバーを固定するときは、前記固着部に対して前記固定手段を止めることによって、前記回路基板の固定可能部に対して前記カバーの固定可能部を固定することを特徴とする遊技用回路装置。」と訂正する。
（５）訂正事項５
　訂正前における特許明細書の段落【０００９】の
「本発明の第１の態様は、遊技機に設けられる回路基板と、回路基板を覆うカバーとを備えた遊技用回路装置において、回路基板とカバーとの重なり部分に複数の固定可能部を形成し、回路基板をカバーで覆うときは、固定可能部を固定し、回路基板とカバーとを引き離すときは、固定した固定可能部を除去することを特徴とする。」を、
「本発明の第１の態様は、遊技機に設けられる回路基板と、該回路基板を覆うカバーとを備えた遊技用回路装置において、回路基板とカバーとを組み合わせた際に互いに重なる重なり部を形成すると共に、回路基板とカバーの重なり部を構成する部位に各々、回路基板に対してカバーを固定するための複数の固定可能部を、回路基板とカバーから切断可能な切断部を含んで一体に形成し、回路基板に対してカバーを固定するときは、固定可能部で固定手段により回路基板の固定可能部に対してカバーの固定可能部を固定すると共に、回路基板からカバーを引き離すときは、切断部にて、固定可能部を、回路基板とカバーから切断することを特徴とする。」と訂正する。
（６）訂正事項６
　訂正前における特許明細書の段落【００１０】の
「本発明の第２の態様は、カバーは、回路基板の上面を覆う上部カバー及び回路基板の下面を覆う下部カバーから成り、固定可能部は、回路基板と上部カバー又は下部カバーとの重なり部分に形成されることを特徴とする。」を、
「本発明の第２の態様は、カバーは、回路基板の上面を覆う上部カバー及び回路基板の下面を覆う下部カバーから成り、複数の固定可能部は、回路基板と上部カバー又は下部カバーとの重なり部を構成する部位に各々一体に形成されることを特徴とする。」と訂正する。
（７）訂正事項７
　訂正前における特許明細書の段落【００１１】の
「本発明の第３の態様は、カバーは、回路基板の上面を覆う上部カバー及び回路基板の下面を覆う下部カバーから成り、固定可能部は、回路基板と上部カバー及び下部カバーとの重なり部分に形成されることを特徴とする。」を、
「本発明の第３の態様は、カバーは、回路基板の上面を覆う上部カバー及び回路基板の下面を覆う下部カバーから成り、複数の固定可能部は、回路基板と上部カバー及び下部カバーとの重なり部を構成する部位に各々一体に形成されることを特徴とする。」と訂正する。
（８）訂正事項８
　訂正前における特許明細書の段落【００１２】の
「本発明の第４の態様は、回路基板は、回路基板に固着した固着部を含むことを特徴とする。」を、
「本発明の第４の態様は、回路基板は、回路基板の固定可能部において、固定手段を止める複数の固着部を形成し、回路基板に対してカバーを固定するときは、固着部に対して固定手段を止めることによって、回路基板の固定可能部に対してカバーの固定可能部を固定することを特徴とする。」と訂正する。
　
２．２．訂正の適否
（１）訂正事項１について
　「前記回路基板と前記カバーとの重なり部分」を「前記回路基板と前記カバーとを組み合わせた際に互いに重なる重なり部」と訂正する事項は、「重なり部分」の構成を明確にするものであるから、明りょうでない記載の釈明を目的とするものに該当し、
「前記回路基板と前記カバーとの重なり部分に複数の固定可能部を形成し」を「前記回路基板と前記カバーの前記重なり部を構成する部位に各々、前記回路基板に対して前記カバーを固定するための複数の固定可能部を、前記回路基板と前記カバーから切断可能な切断部を含んで一体に形成し」と訂正する事項は、訂正前の「複数の固定可能部」を、切断部を含み一体に形成されたものに限定するのであるから、特許請求の範囲の減縮を目的とするものに該当し、
「前記回路基板を前記カバーで覆うときは、前記固定可能部を固定し」を「前記回路基板に対して前記カバーを固定するときは、前記固定可能部で固定手段により前記回路基板の固定可能部に対して前記カバーの固定可能部を固定する」と訂正する事項は、訂正前の「固定可能部」を、固定手段により固定される固定可能部に限定するのであるから、特許請求の範囲の減縮を目的とするものに該当し、
「前記回路基板と前記カバーとを引き離すときは、固定した前記固定可能部を除去する」を「前記回路基板から前記カバーを引き離すときは、前記切断部にて、前記固定可能部を、前記回路基板と前記カバーから切断する」と訂正する事項は、訂正前の「（固定した前記固定可能部を）除去する」事項を、切断部にて切断する事項に限定するのであるから、特許請求の範囲の減縮を目的とするものに該当する。
　また、上記「切断部」について、訂正前の特許明細書には「ミシン目（段落【００２７】、【００３７】、【００６３】、【００６４】）」や「このようなミシン目４９及び６８は、必ずしも設ける必要はない。その場合、固定可能部８１をニッパー等で切断すればよい。（段落【００２７】）」ことが記載されており、同記載内容から切断される部位としての「切断部」が訂正前の特許明細書に実質的に記載されていると認められることから、新規事項の追加には該当しない。さらに、上記「固定手段」について、訂正前の特許明細書には「固定可能部８１をワンウェイネジ４７で固定しているが、リベットや熱溶着などで固定するようにしてもよい（段落【００２８】）」と記載されており、同記載内容からワンウェイネジ以外の固定手段を用いてもよいと解釈できることから、上記「固定手段」は訂正前の特許明細書の記載から自明な事項と認められ、新規事項の追加には該当しない。また、固定可能部を一体に形成する事項は、訂正前の図面の記載（【図３】、【図４】、【図９】、【図１０】等）から、自明な事項と認められ、新規事項の追加には該当しない。
　そうすると、上記訂正事項１は、訂正前の特許明細書に記載された事項の範囲内のものであり、また、実質上特許請求の範囲を拡張し又は変更するものでもない。
（２）訂正事項２及び３について
　「前記固定可能部」を「前記複数の固定可能部」と訂正する事項は、訂正後の請求項１における「複数の固定可能部」の記載に整合させるものであるから、明りょうでない記載の釈明を目的とするものに該当し、
　「（前記固定可能部は、）重なり部分に形成される」を「（前記複数の固定可能部は、）前記重なり部を構成する部位に各々一体に形成される」と訂正する事項は、訂正前の「固定可能部」の構成を、一体に形成したものに限定するのであるから、特許請求の範囲の減縮を目的とするものに該当する。
　そうすると、上記訂正事項２及び３は、訂正前の特許明細書に記載された事項の範囲内のものであり、また、実質上特許請求の範囲を拡張し又は変更するものでもない。
（３）訂正事項４について
　「前記回路基板は、該回路基板に固着した固着部を含む」を「前記回路基板は、前記回路基板の固定可能部において、前記固定手段を止める複数の固着部を形成し、前記回路基板に対して前記カバーを固定するときは、前記固着部に対して前記固定手段を止めることによって、前記回路基板の固定可能部に対して前記カバーの固定可能部を固定する」と訂正する事項は、「固着部」の構成を明確にするものであるから、明りょうでない記載の釈明を目的とするものに該当する。
　そうすると、上記訂正事項４は、訂正前の特許明細書に記載された事項の範囲内のものであり、また、実質上特許請求の範囲を拡張し又は変更するものでもない。
（４）訂正事項５乃至８について
　訂正事項５乃至８は、本件特許明細書の特許請求の範囲の訂正に整合させて発明の詳細な説明を訂正するものであるから、明りょうでない記載の釈明を目的とするものである。また、特許明細書に記載された事項の範囲内において訂正するものであるから新規事項の追加にも該当せず、実質上特許請求の範囲を拡張し又は変更するものでもない。
　
２．３．むすび
　よって、本件訂正は、特許法第１３４条の２第１項ただし書、及び、同条第５項において準用する同法１２６条第３項及び第４項の規定に整合するので、適法な訂正と認める。
　
３．本件発明
　本件特許第３７０６２７４号の請求項１乃至４に係る発明は、前記訂正が適法と認められるから、本件の訂正明細書及び図面の記載からみて、特許請求の範囲の請求項１乃至４に記載された事項により特定される以下のとおりのものである。
「遊技機に設けられる回路基板と、該回路基板を覆うカバーとを備えた遊技用回路装置において、
　前記回路基板と前記カバーとを組み合わせた際に互いに重なる重なり部を形成すると共に、前記回路基板と前記カバーの前記重なり部を構成する部位に各々、前記回路基板に対して前記カバーを固定するための複数の固定可能部を、前記回路基板と前記カバーから切断可能な切断部を含んで一体に形成し、
　前記回路基板に対して前記カバーを固定するときは、前記固定可能部で固定手段により前記回路基板の固定可能部に対して前記カバーの固定可能部を固定すると共に、
　前記回路基板から前記カバーを引き離すときは、前記切断部にて、前記固定可能部を、前記回路基板と前記カバーから切断することを特徴とする遊技用回路装置。」（請求項１に係る発明。以下、「本件発明１」という。）
「請求項１記載の遊技用回路装置において、
　前記カバーは、前記回路基板の上面を覆う上部カバー及び前記回路基板の下面を覆う下部カバーから成り、
　前記複数の固定可能部は、前記回路基板と前記上部カバー又は前記下部カバーとの前記重なり部を構成する部位に各々一体に形成されることを特徴とする遊技用回路装置。」（請求項２に係る発明。以下、「本件発明２」という。）
「請求項１記載の遊技用回路装置において、
　前記カバーは、前記回路基板の上面を覆う上部カバー及び前記回路基板の下面を覆う下部カバーから成り、
　前記複数の固定可能部は、前記回路基板と前記上部カバー及び前記下部カバーとの前記重なり部を構成する部位に各々一体に形成されることを特徴とする遊技用回路装置。」（請求項３に係る発明。以下、「本件発明３」という。）
「請求項１乃至３のいずれか記載の遊技用回路装置において、
　前記回路基板は、前記回路基板の固定可能部において、前記固定手段を止める複数の固着部を形成し、前記回路基板に対して前記カバーを固定するときは、前記固着部に対して前記固定手段を止めることによって、前記回路基板の固定可能部に対して前記カバーの固定可能部を固定することを特徴とする遊技用回路装置。」（請求項４に係る発明。以下、「本件発明４」という。）
　
４．当事者の主張及び当審で通知した無効理由
４．１．請求人の主張
　請求人は、審判請求書において、下記の甲第１号証乃至甲第４号証を提出し、特許第３７０６２７４号の特許を無効とする、審判費用は被請求人の負担とする、との審決を求めることを審判請求の趣旨とし、本件発明の特許を無効とすべき理由として、以下のように主張する。
　本件特許に係る発明のうち、請求項１，３，４に係る発明は、各々甲第１号証に記載された発明であるから、特許法第２９条第１項第３号の規定に該当し、また、請求項１乃至４に係る発明は、甲第１号証乃至甲第４号証に記載された発明に基づいて容易に発明できたものであるから、特許法第２９条第２項に該当するので、本件特許は、特許法第１２３条第１項第２号の規定により無効にされるべきである。
　　　　　　　　　　　　　　　　記
　甲第１号証：特開平９−２３９１２１号公報
　甲第２号証：特開平１１−９８０２号公報
　甲第３号証：特開平９−２２５０９２号公報
　甲第４号証：特開平１１−１３７８１２号公報
　
４．２．被請求人の主張
　被請求人は、答弁書において、上記請求人の主張は、いずれも本件発明を無効とする理由にはならない旨主張した。
　
４．３．当審で平成１８年１１月１４日付けで通知した無効理由
　当審の職権による無効理由の概要は以下のとおりである。
（１）本件発明は、刊行物である下記の引用例に記載の発明に基づいて当業者が容易に発明をすることができたものであるから、特許法第２９条第２項の規定により特許を受けることができない。
　　　　　　　　　　　　　　　　記
　引用例：特開平１１−４４７号公報
（２）本件出願は、明細書及び図面の記載が不備のため、特許法第３６条第６項第２号に規定する要件を満たしていない。
　
５．当審の判断
　当審の職権による平成１８年１１月１４日付け無効理由通知で指摘した、特許法第２９条第２項の無効理由について、以下検討する。
　
５．１．引用例に記載の発明
　引用例（特開平１１−４４７号公報）には、以下の事項が記載されている。
「【発明の詳細な説明】
【０００１】
【発明の属する技術分野】
　この発明は、遊技機の制御回路装置に関する。」、
「【００１３】
　そこで、本発明の目的は、制御回路基板を収容した基板ボックスすなわち制御回路装置の不正な開放を防止可能とし、検査や修理の際の開放を可能とした上で、封印部分が不正に開、封された場合に早期発見を可能とし、不正行為による被害を防止可能な遊技機の制御回路装置を提供することにある。
【００１４】
【課題を解決するための手段】
　第１の発明は、遊技機に設けられる電気的作動装置の制御を行うためにＲＯＭ等の電子部品を実装した制御回路基板と、該制御回路基板を収容する基板ボックスと、からなる遊技機の制御回路装置において、前記基板ボックスを構成する上蓋部材とベース部材とには、当該基板ボックスを閉じた状態において対向状態となる対向部を形成し、前記対向部の所定部位には、前記上蓋部材とベース部材とから各々突出して重合する重合結合部を複数形成して、このうちのいずれか一つの重合結合部に対し締結部材により固着せしめて開放不能に封印する不正開放防止結合手段を設けており、前記制御回路基板の所定電子部品への検査時等に基板ボックスを開放する際には、締結部材により固着されている重合結合部を切除すると共に、基板ボックスを閉止する際には、切除されていない重合結合部に対し締結部材を固着可能に形成しており、前記各重合結合部の状態を電気的に検出するための重合結合部状態検出部を設ける。」、
「【００２７】
　図４は制御回路装置１７の正面図で、図５は分解斜視図であり、２５は基板ボックス２４のベース部材、２６は同じく基板ボックス２４の上蓋部材、２７は下部保護板、２８は上部保護板、３０は制御回路装置１７の制御回路基板、１０１は制御回路基板３０に実装された電子部品のうちのＲＯＭ、３２は制御回路基板３０の一側部に形成された配線コード群の接続領域３３に設けられたコネクタ部である。」、
「【００２９】
　ベース部材２５は、透明の樹脂からなり、制御回路基板３０よりもいくらか大きい底部３４には格子状にリブが設けられ、底部３４の四方には高さの低い周壁３５ａ〜３５ｄが形成される。
【００３０】
　ベース部材２５の底部３４の２つの隅および周壁３５ａ，３５ｃに沿う所定の位置には、下部保護板２７、制御回路基板３０、上部保護板２８をネジ止めする止着用ボス３６が形成される。制御回路基板３０の配線コード群の接続領域３３側の周壁３５ｄには、その接続領域３３の基板端部の受け（図示しない）が設けられ、底部３４の中央付近には、制御回路基板３０のＲＯＭ１０１に対応する位置に、ＲＯＭ１０１の着脱時に制御回路基板３０が曲がったりしないように、支えボス３７が設けられる。
【００３１】
　上蓋部材２６は、透明の樹脂からなり、制御回路基板３０の配線コード群の接続領域３３を除いて、制御回路基板３０および上部保護板２８を覆うと共に、ベース部材２５の三つの周壁３５ａ〜３５ｃに上蓋部材２６の周壁３８ａ〜３８ｃの先端が合う大きさに形成される。」、
「【００３６】
　制御回路基板３０の一辺部（ベース部材２５の周壁３５ｃおよび上蓋部材２６の周壁３８ｃに対応する側）には、後述する重合結合部６４〜６７に対応する位置に、それぞれ重合結合部６４〜６７の状態を検出するための検出回路（第１〜第４検出回路）４６〜４９の金属片５２が突設される。それぞれ金属片５２は、輪状の先端部５３と脚部５４とを備え、脚部５４の基部が制御回路基板３０に設けられた検出回路４６〜４９にハンダ付けされる。
【００３７】
　検出回路４６〜４９は、図６のようにそれぞれ金属片５２が部分的にあるいは全体的に切除されると（切断を含む）、抵抗値が変化して、コンパレータ５５の信号がローレベルからハイレベルに切り替わるように形成される。」、
「【００４０】
　この基板ボックス２４の上蓋部材２６をベース部材２５に対して閉じたときに対向する周壁のうち、制御回路基板３０の配線コード群の接続領域３３側の周壁３８ｄ，３５ｄおよび蝶着部４０側の周壁３８ａ，３５ａを除く周壁３８ｂ，３５ｂ，３８ｃ，３５ｃの所定の位置に、即ち上蓋部材２６側から見て複数ある辺部のうち、配線コード群の接続領域３３側および蝶着部４０側にない二つの辺部の所定の位置に、それぞれ不正開放防止結合手段を構成する複数の重合結合部６０〜６３，６４〜６７が形成される。
【００４１】
　重合結合部６０〜６３、６４〜６７は、それぞれ図８のように上蓋部材２６の周壁３８ｂ，３８ｃから突出させた連結部（上方連結部）７０の先端に上方結合部７１が、ベース部材２５の周壁３５ｂ，３５ｃから突出させた連結部（下方連結部）７２の先端に下方結合部７３が形成される。
【００４２】
　上方結合部７１には、中央に所定径の通し穴７４が、通し穴７４の上部にワンウェイネジ７５等（締結部材）の頭部を囲う埋め込み穴７６が、下部に通し穴７４の回りに段状の係合突部７７が設けられる。下方結合部７３には、上部に上方結合部７１の係合突部７７が嵌まる係合受部７８が、その中央に上方結合部７１の通し穴７４につながる通し穴７４とほぼ同径の所定深さの穴７９が形成される。下方結合部７３および下方連結部７２の上面部には、前記制御回路基板３０の金属片５２が、この場合下方結合部７３の上面部に金属片５２の先端部５３が、下方連結部７２の上面部に金属片５２の脚部５４が嵌まるように、周囲に設けた覆い壁８１によって囲われる溝８２が形成される。上方連結部７０、下方連結部７２は、それぞれニッパ等で切断可能に形成されており、切断される際には、金属片５２の脚部５４も同時に切断される。」、
「【００５４】
　この上蓋部材２６とベース部材２５との蝶着部４０を掛け合わせ（監視位置表示器８５、第１検出結果表示器８６を上蓋部材２６の天板部５７に配設した場合は、これらの制御回路装置１７のドライバへの接続を行う）、上蓋部材２６を閉じる。この際、上蓋部材２６とベース部材２５との係止部４３の突起が係止片４２に嵌まって、上蓋部材２６がベース部材２５に係止され、位置決めされると共に、重合結合部６０〜６３、６４〜６７の各上方結合部７１の係合突部７７が各下方結合部７３の係合受部７８に嵌まり、それぞれが位置決めしながら、重合する。
【００５５】
　この重合状態にて、制御回路基板３０より突出されている検出回路４６〜４９の金属片５２（それぞれ重合結合部６４〜６７の下方結合部７３および下方連結部７２の上面部の溝８２内に嵌められている）が、図９のようにそれぞれ重合結合部６４〜６７にて挾着されると共に、それぞれ金属片５２の周囲を重合結合部６４〜６７が覆う。
【００５６】
　そして、重合結合部６０〜６３のうちの一つと、重合結合部６４〜６７のうちの一つとを、それぞれ上方結合部７１に仮止めしてあるワンウェイネジ７５を下方結合部７３まで確実に締めて、結合、固着する。この場合、識別符号１の重合結合部６０，６４を結合、固着する。」、
「【０１０５】
　制御回路装置１７を外して検査を行う場合、また裏メカベース盤１０に取付けたまま検査を行う場合、基板ボックス２４の重合結合部６０〜６３，６４〜６７のうち、ワンウェイネジ７５によって固着されている識別符号１（第１回目の検査の場合）の重合結合部６０，６４の上方連結部７０、下方連結部７２をニッパ等で切断して、その重合結合部６０，６４を取り除く。この場合、識別符号１の重合結合部６４に挾着されている第１検出回路４６の金属片５２は、その上方連結部６０、下方連結部６２と共に切断される。
【０１０６】
　この重合結合部６０，６４を除くと、基板ボックス２４の上蓋部材２６は係止部４３によって閉止しているだけのため、係止部４３を外せば、上蓋部材２６が開く。
【０１０７】
　上蓋部材２６を開くと、制御回路基板３０のＲＯＭ１０１を外して検査を行うことになる。
【０１０８】
　検査を終了すると、ＲＯＭ１０１を制御回路基板３０に装着して上蓋部材２６を閉じる。この際、上蓋部材２６が位置決めしながら係止部４３が係止する。同時に、切除されていない識別符号２〜４の重合結合部６１〜６３，６５〜６７の各上方結合部７１の係合突部７７が各下方結合部７３の係合受部７８に嵌まり、位置決めする。この場合、識別符号２〜４の重合結合部６５〜６７に、再び第２〜第４検出回路４７〜４９の金属片５２が挾着される。
【０１０９】
　この状態にて、識別符号２の重合結合部６１，６５の上方結合部７１に仮止めされているワンウェイネジ７５を下方結合部７３まで締めて、識別符号２の重合結合部６１，６５を結合、固着する。上蓋部材２６を閉じると、識別符号２〜４の重合結合部６５〜６７に第２〜第４検出回路４７〜４９の金属片５２が挾着されると共に、重合結合部６１〜６３，６５〜６７が確実に重合するため、識別符号２の重合結合部６１，６５の結合、固着が容易に行え、不完全な状態でワンウェイネジ７５を締める心配はない。」、
「【０１１６】
　一方、不正行為として、制御回路装置１７の基板ボックス２４を不正に開けて、制御回路基板３０のＲＯＭ１０１を不正なＲＯＭに交換、あるいはＲＯＭ１０１のデータを書き換えて、大当たりを頻繁に発生させる等の不正行為がある。
【０１１７】
　この不正行為には、正規に固着してある重合結合部の上方連結部７０と下方連結部７２とを切断して、その重合結合部を取り除いて、基板ボックス２４を開けることが想定されるが、これは遊技店の営業時等に直ちに発見できる。
【０１１８】
　即ち、遊技店の営業中に、遊技機の前面枠１が開けられ、遊技機の裏面に取付けられている制御回路装置１７の基板ボックス２４の正規に固着してある重合結合部の上方連結部７０と下方連結部７２とが切断されると、その重合結合部に挾着されている検出回路の金属片５２が切断されて、当該検出回路からその正規の重合結合部が切除されたことを示すハイレベルの信号が制御回路装置１７に送られる。」、
「【０１２８】
　また、このような不正行為つまり正規の重合結合部が切除されていれば、これはもちろん遊技機の保守点検時あるいは営業中に遊技機の球詰まり等を直す際等に、発見が可能である。
【０１２９】
　制御回路装置１７を遊技機の裏面に取付けるため、遊技機の裏側から重合結合部６０〜６３，６４〜６７を確認でき、また基板ボックス２４の上蓋部材２６の天板部５７に、重合結合部６０〜６３，６４〜６７の識別符号を表示すると共に、天板部５７に取付けてある検査履歴書８４にその識別符号に対応する検査履歴の欄を設けるため、その識別符号、検査履歴を見て、正規に固着してある重合結合部はどれか、固着してある重合結合部が正しいものかどうか等の照合を簡単に行え、該当する重合結合部、上方連結部７０、下方連結部７２の状態の確認をしやすくなる。
【０１３０】
　そのため、遊技機の前面枠１を開くと、正規の重合結合部が切除されていれば、これをすぐに見付けることができる。」、
「【０１３４】
　なお、各検出回路４６〜４９の金属片に、図１７に示すような金属片９０を用いても良い。金属片９０は、一部を切欠いた輪状の先端部９１と、その切欠いた両端からそれぞれ伸びる２つの脚部９２ａ，９２ｂとを備え、それぞれ金属片９０は、２つの脚部９２ａ，９２ｂの基部がそれぞれ制御回路基板３０に設けられた検出回路４６〜４９にハンダ付けされる。
【０１３５】
　このような金属片９０を用いれば、金属片９０を挾着している重合結合部の上方連結部７０、下方連結部７２が切断されて、金属片９０が切断されると、回路も切断されるため、重合結合部が切除されているか否かが検出回路４６〜４９によって一層的確に検出される。また、この場合金属片９０の抵抗値が正常な状態にあるときの抵抗値に比して小さくなった際にも、検出回路４６〜４９がハイレベルの信号を出力するようにすれば、脚部９２ａ，９２ｂの基部等をショートさせて検出を不可能にするような不正にも対処できる。
【０１３６】
　また、金属片を例えば重合結合部の下方連結部７１、下方結合部７２に埋設つまり一体形成して、その脚部を制御回路基板３０の検出回路４６〜４９に接続するようにしても良い。」、
「【０１７８】
　また、実施の形態では、上蓋部材２６、ベース部材２５の外側に重合結合部を設けているが、上蓋部材２６、ベース部材２５の内側に重合結合部を設けて、その連結部分のみ外側から切断できるようにしたものにも適用することができ、この場合、その連結部分と共に検出回路の金属片が切断されるように構成する。また、重合結合部のベース部材あるいは上蓋部材との連結部分を検出回路の金属片により形成しても良い。また、検出回路の検出部は、金属片に限定されるものではなく、線状のものあるいは線状のものと金属片等との複合体であっても良く、また、接触式のものであっても良い。」、
「【０１９３】
【発明の効果】
　以上のように第１の発明によれば、制御回路装置の基板ボックスの上蓋部材とベース部材とから各々突出して重合する複数の重合結合部のうちの一つを締結部材により固着することで、基板ボックスが開放不能に封印されると共に、各重合結合部の状態が重合結合部状態検出部によって電気的に検出される。」。
　
　また、上蓋部材２６及びベース部材２５が制御回路基板３０を覆うように構成されていることは、各図等の記載からみて、明らかである。さらに、制御回路基板３０に突設される金属片５２は、金属である以上、相応の剛性を有するのであるから、重合結合時に、重合結合部６０〜６３，６４〜６７と金属片５２とが、制御回路基板３０に対して上蓋部材２６及びベース部材２５を固定する作用を奏するのは明らかである。
　そして、上記記載事項及び明らかな事項を総合すると、引用例には、以下の発明（以下、「引用例に記載の発明」という。）が記載されていると認められる。
　
「遊技機に設けられる制御回路基板３０と、該制御回路基板３０を覆う上蓋部材２６及びベース部材２５とを備えた制御回路装置１７において、
　上蓋部材２６をベース部材２５に対して閉じたときに、上蓋部材２６の上方連結部７０および上方結合部７１と、ベース部材２５の下方連結部７２および下方結合部７３とが重合結合する重合結合部６０〜６３，６４〜６７を形成すると共に、
　前記重合結合部６０〜６３，６４〜６７の重合結合時に、同重合結合部６０〜６３，６４〜６７にて挟着される金属片５２を、制御回路基板３０にハンダ付けにより取り付け、
　前記重合結合部６０〜６３，６４〜６７と金属片５２は、制御回路基板３０に対して上蓋部材２６及びベース部材２５を固定するものであり、
　前記金属片５２は輪状の先端部５３と脚部５４とを備え、
　制御回路装置１７を組立てるときは、金属片５２が挟着された状態で前記重合結合部６０〜６３，６４〜６７を重合すると共に、上方結合部７１と下方結合部７３をワンウェイネジ７５で締めて重合結合部６０，６４を結合・固定し、
　上蓋部材２６を開くときは、前記上方連結部７０と下方連結部７２と金属片５２の脚部５４をニッパ等で切断するようにした制御回路装置１７。」
　
５．２．本件発明１との対比・検討
　そこで、本件発明１と引用例に記載の発明とを対比すると、引用例に記載の発明における「遊技機」、「制御回路基板３０」、「上蓋部材２６及びベース部材２５」、「制御回路装置１７」、「ワンウェイネジ７５」は、それぞれ本件発明１における「遊技機」、「回路基板」、「カバー」、「遊技用回路装置」、「固定手段」に相当し、
　引用例に記載の発明における「重合結合部６０〜６３，６４〜６７」及び「金属片５２」は、重合結合時に、同重合結合部６０〜６３，６４〜６７に金属片５２が挟着されることで、金属片５２と重合結合部６０〜６３，６４〜６７が重なることは明らかであるから、本件発明１における「重なり部」に相当し、
　引用例に記載の発明における「上方連結部７０」、「下方連結部７２」、「（金属片５２の）脚部５４」の三者は、切断可能に形成された部材であるから、本件発明１における「切断部」に相当し、
　引用例に記載の発明における「重合結合部６０〜６３，６４〜６７」及び「金属片５２」と、本件発明１における「固定可能部」とは、固定手段により回路基板とカバーを固定する「固定部材」である点、及び、「切断部」を含んでいる点で共通する。
　そうすると、両者は、
　
「遊技機に設けられる回路基板と、該回路基板を覆うカバーとを備えた遊技用回路装置において、
　前記回路基板と前記カバーとを組み合わせた際に互いに重なる重なり部を形成すると共に、前記回路基板と前記カバーの前記重なり部を構成する部位に各々、前記回路基板に対して前記カバーを固定するための複数の固定部材を、前記回路基板と前記カバーから切断部を含んで形成し、
　前記回路基板に対して前記カバーを固定するときは、前記固定部材で固定手段により前記回路基板の固定部材に対して前記カバーの固定部材を固定すると共に、
　前記回路基板から前記カバーを引き離すときは、前記切断部にて、前記固定部材を、前記回路基板と前記カバーから切断する遊技用回路装置。」
　
である点で一致し、本件発明１と引用例に記載の発明とは、次の点で相違する。
　
（相違点）
ｉ）カバー側に設けられた固定部材と当該カバーとが、本件発明１では、一体に形成されているのに対し、引用例に記載の発明では、一体に形成されているのか否か不明である点、
ｉｉ）本件発明１では、回路基板側に設けられた固定部材である固定可能部が、該回路基板と一体に形成されているのに対し、引用例に記載の発明では、固定部材である金属片５２が、制御回路基板３０にハンダ付けにより取り付けられている点。
　
　次に、上記相違点について検討する。
　
・相違点ｉ）について
　引用例には、上蓋部材２６及びベース部材２５と、重合結合部６０〜６３，６４〜６７とを、一体に形成することは明示的に記載されていないものの、【図９】等の記載からみて、上蓋部材２６及びベース部材２５と、重合結合部６０〜６３，６４〜６７とが、一体に形成されているものと推認できること、また、一般に、複数の部品で構成される部材を一体に形成することは、本件出願前に種々の技術分野でごく普通に行われている周知・慣用の技術事項であり、さらに、遊技用回路装置の分野において、遊技用制御回路基板を覆うカバーと、同カバーに設けられるカバー封印部材（本件発明１における「固定可能部」に相当）とを、一体に形成することも本件出願前周知の技術事項（例えば、特開平１１−３３１９５号公報の段落【００６６】、【００９０】や特開平１１−１３７８１２号公報の段落【００２１】等参照）にすぎない。
　そして、引用例の上記記載事項、及び、上記周知の技術事項を参酌すれば、引用例に記載の発明における「重合結合部６０〜６３，６４〜６７」を、上蓋部材２６及びベース部材２５と一体に形成することは、当業者が適宜なし得る設計的事項である。
　
・相違点ｉｉ）について
　一般に、複数の部品で構成される部材を一体に形成することは、本件出願前に種々の技術分野でごく普通に行われている周知・慣用の技術事項であり、また、回路基板の分野において、回路基板に設けられる回路パターン形状の導体回路部と、回路基板から突出する導体部とを、単一の金属板から打ち抜いて形成し、前記打ち抜いて形成した導体部材を回路基板と一体に形成することは、本件出願前周知・慣用の技術事項（例えば、特開平４−８３３９１号公報、特開平８−３１６６０７号公報、特開平８−１８１９７号公報等参照）にすぎない。
　そうすると、引用例に記載の発明に上記周知・慣用の技術事項を適用し、制御回路基板３０に金属片５２をハンダ付けして取り付けるのに代えて、制御回路基板３０に設けられる導体回路部と、同制御回路基板３０から突設される金属片５２とを、単一の金属板から打ち抜いて形成し、同打ち抜いて形成した導体部材と制御回路基板３０とを一体に形成することは、当業者であれば容易に想到し得たものと認められる。
　そして、上記のとおり引用例に記載の発明に上記周知・慣用の技術事項を適用したものが、制御回路装置１７を開封した痕跡が金属片５２に残るという本件発明１と同等の作用効果を有することは明らかである。
　
　また、本件発明１によって奏せられる効果は、引用例に記載の発明及び周知技術事項に基づいて当業者であれば予測し得るものであり、格別顕著なものではない。
　
　よって、本件発明１は、引用例に記載の発明及び周知技術事項に基づいて当業者が容易に発明をすることができたものである。
　
５．３．本件発明２及び３との対比・検討
　本件発明２及び本件発明３は、本件発明１における「カバー」を、「回路基板の上面を覆う上部カバー」と「回路基板の下面を覆う下部カバー」に特定するものであるが、引用例に記載の発明も同様の構成（引用例に記載の発明における「上蓋部材２６」、「ベース部材２５」は、それぞれ本件発明２及び３における「上部カバー」、「下部カバー」に相当）を備えているのであるから、「５．２．本件発明１との対比・検討」に記載した事項と同じ理由により、本件発明２及び本件発明３は、引用例に記載の発明及び周知技術事項に基づいて当業者が容易に発明をすることができたものである。
　
５．４．本件発明４との対比・検討
　本件発明４と引用例に記載の発明とを対比すると、上記相違点ｉ）〜ｉｉ）に加え、以下の点で相違する。
ｉｉｉ）本件発明４では、回路基板側に設けられた固定部材である固定可能部に、固定手段を止める固着部を形成しているのに対し、引用例に記載の発明では、そのような部材を備えていない点。
　
　次に、上記相違点について検討する。
　相違点ｉ）〜ｉｉ）についての検討事項は、「５．２．本件発明１との対比・検討」を参照。
　
・相違点ｉｉｉ）について
　３枚以上の板部材に対し、連続する２枚の板同士を固定（例えば、上板と中板、中板と下板をそれぞれ固定すること）して、前記３枚以上の板部材を相互に固定することは、本件出願前に周知・慣用の技術事項である。また、一般に、ネジで螺着して複数の部材を固定する際に、ネジで固定される部材側にネジ止め用ボスを設けることも、本件出願前に周知・慣用の技術事項（例えば、引用例の「止着用ボス３６」、特開平９−２７６４８１号公報の「取付ボス部３３」、特開平９−２２０３３３号公報の「ボス１４」等参照）にすぎない。
　そして、それら周知技術事項を参酌すれば、引用例に記載の発明における金属片５２の先端部５３に、前記ネジ止め用ボスを設けて、上蓋部材２６と制御回路基板３０を固定することは、当業者であれば容易に想到し得たものと認められる。
　
　また、本件発明４によって奏せられる効果は、引用例に記載の発明及び周知技術事項に基づいて当業者であれば予測し得るものであり、格別顕著なものではない。
　
　よって、本件発明４は、引用例に記載の発明及び周知技術事項に基づいて当業者が容易に発明をすることができたものである。
　
６．まとめ
　以上のとおりであるから、本件発明１乃至本件発明４は、引用例に記載の発明及び周知技術事項に基づいて当業者が容易に発明をすることができたものであるから、本件特許は、特許法第２９条第２項の規定に違反してなされたものであり、同法第１２３条第１項第２号に該当し、無効とすべきものである。
　審判に関する費用については、特許法第１６９条第２項の規定で準用する民事訴訟法第６１条の規定により、被請求人が負担すべきものとする。
　よって、結論のとおり審決する。